(57)【要約】【課題】    パイプ径が異なる各種パイプ棚のいずれにも容易に取付けられて使用できると共に、各種用途に低コストで適応できるパイプ棚用ホルダーを提供する。【解決手段】  パイプ棚用ホルダーは、支持具３と物掛具５とを組み合わせてなり、前記支持具３は、少なくとも２本のパイプ２上に載置される吊持板部６と、この吊持板部６からパイプ２間を通って下方に延出するガイド支持部７とを備え、ガイド支持部７は左右側壁７ａ、７ｂを備え、これら左右側壁７ａ、７ｂの内面側に相対応する複数段のガイド溝９を有し、前記物掛具５は先端にホルダー部１を有すると共に、前記複数段のガイド溝９のいずれにも挿脱可能に両側端部が案内支持される被ガイド板部１０を有している。【選択図】  図１
2006198244.tif 000002
【特許請求の範囲】
【請求項１】
複数本のパイプが横架されてなるパイプ棚に着脱可能に取付けて使用されるパイプ棚用ホルダーであって、支持具と物掛具とを組み合わせてなり、前記支持具は、少なくとも２本のパイプ上に載置される吊持板部と、この吊持板部からパイプ間を通って下方に延出するガイド支持部とを備え、ガイド支持部は左右側壁を備え、これら左右側壁の内面側に相対応する複数段のガイド溝を有し、前記物掛具は先端にホルダー部を有すると共に、前記複数段のガイド溝のいずれにも挿脱可能に両側端部が案内支持される被ガイド板部を有し、前記複数段のガイド溝のいずれかを選択してこれに前記被ガイド板部を挿入して物掛具を支持具に組み合わせたときに、少なくとも２本のパイプが前記吊持板部と前記被ガイド板部との間に挟まれた状態でパイプ棚用ホルダーがパイプ棚に支持されるように構成したことを特徴とするパイプ棚用ホルダー。
【請求項２】
支持具および物掛具は、いずれも合成樹脂一体成形品である請求項１記載のパイプ棚用ホルダー。
【請求項３】
物掛具のホルダー部が、フック形状のもの、ふきん掛け可能のもの、タオル掛け可能のもの、食品包装用ラップケース支持可能のもののいずれかである請求項１又は２記載のパイプ棚用ホルダー。
【請求項４】
吊持板部のパイプ接触面にクッション材が配設されている請求項１、２又は３記載のパイプ棚用ホルダー。
【発明の詳細な説明】
【技術分野】
【０００１】
本発明は台所、トイレ、洗面所等で設置されるパイプ棚に着脱可能に取付けて、食器、ふきん、タオルなどを支持するためのホルダーとして用いられるパイプ棚用ホルダーに関するものである。
【背景技術】
【０００２】
パイプ棚用ホルダーの従来例として、パイプ棚の少なくとも２本のパイプに跨って取付けられる取付部と、この取付部と一体に連結された物掛け部とを備え、前記取付部は、取付部本体と、この取付部本体の一端側に一体的に形成され、前記２本のパイプのうち一方のパイプを他方のパイプがある側とは反対側から巻き込むフック部とを有しているものが知られている（特許文献１）。
【特許文献１】特許第３０８０３４３号公報
【発明の開示】
【発明が解決しようとする課題】
【０００３】
上記特許文献１に記載されているパイプ棚用ホルダーは、これをパイプ棚に容易かつ安定した状態で取付けることができるという利点を有する反面、次のような２つの問題点を有している。
【０００４】
第１の問題点は、パイプ棚用ホルダーの用途として、各種用途、例えば、食器掛け、タワシ掛け、ふきん掛け、タオル掛け、食品包装用ラップケース支持等があるが、上記従来例では、その用途に合った物掛け部を有するものを、その用途の数だけ各別に製造しなければならず、コスト高になる、という問題点である。
【０００５】
第２の問題点は、パイプ棚のパイプの径が大きすぎたり、小さすぎる場合には、このパイプを巻き込むためのフック部が当該パイプに適合せず、パイプ棚用ホルダーの取付けが不可であったり、あるいは不安定になる、という問題点である。
【０００６】
本発明は上記従来例の両問題点を一挙に解決しうると共に、取付け取外しが容易で構造簡単なパイプ棚用ホルダーを提供することを目的とする。
【課題を解決するための手段】
【０００７】
本発明は上記目的を達成するため、複数本のパイプが横架されてなるパイプ棚に着脱可能に取付けて使用されるパイプ棚用ホルダーであって、支持具と物掛具とを組み合わせてなり、前記支持具は、少なくとも２本のパイプ上に載置される吊持板部と、この吊持板部からパイプ間を通って下方に延出するガイド支持部とを備え、ガイド支持部は左右側壁を備え、これら左右側壁の内面側に相対応する複数段のガイド溝を有し、前記物掛具は先端にホルダー部を有すると共に、前記複数段のガイド溝のいずれにも挿脱可能に両側端部が案内支持される被ガイド板部を有し、前記複数段のガイド溝のいずれかを選択してこれに前記被ガイド板部を挿入して物掛具を支持具に組み合わせたときに、少なくとも２本のパイプが前記吊持板部と前記被ガイド板部との間に挟まれた状態でパイプ棚用ホルダーがパイプ棚に支持されるように構成したことを特徴とする。
【０００８】
なお、本発明で云うパイプ棚は、狭義のパイプが複数本横架されてなる狭義のパイプ棚を指すことは勿論、複数本の中実ロッド、横木などが複数本横架されて狭義のパイプ棚と同様の機能を営むものをも含む。また本発明で云うパイプも、狭義のパイプのみならず、中実ロッド、横木など、狭義のパイプ棚に用いられるパイプと同様の機能を営むものをも含む。さらに、本発明で云う物掛具は、コップなどの食器やふきんなどを掛けるためのホルダー部を有するものを指すことは勿論、食品包装用ラップケース、石けん等を支持したり、収容したりするためのホルダー部を有するものをも含む。
【発明の効果】
【０００９】
本発明によれば、パイプ棚上に支持具を載置した状態で、そのガイド支持部の複数段のガイド溝の内のパイプ径に適した位置のガイド溝を選択して、このガイド溝に物掛具の被ガイド板部を挿入することにより、極めて簡単容易な操作で、物掛具を支持具に組み付けることができ、これにより物掛具の吊持板部と支持具の被ガイド板部との間に少なくとも２本のパイプが挟まれ、かつ２本のパイプの間に支持具のガイド支持部が上下に挿通する状態となり、本発明のパイプ棚用ホルダは安定した状態でパイプ棚に支持されることになる。
【００１０】
そして本発明によれば、前記ガイド支持部の左右側壁の内面側に相対応する複数段のガイド溝が形成されているので、パイプ棚のパイプ径に合致するガイド溝を選択して、物掛具の被ガイド板部を挿入することで、パイプ径の異なる各種パイプ棚に対しても、パイプ棚用ホルダーを安定確固に取付けることができる。
【００１１】
また本発明によれば、食器掛け、タワシ掛け、ふきん掛け、タオル掛け、食品包装用ラップケース支持等の各種用途に適したホルダー部を有する物掛具を用意して、これら物掛具の被ガイド支持部の形状を共通なものとすれば、共通化された一種類の支持具と前記各種物掛具とを組み合わせてパイプ棚用ホルダーを構成することができる。従って、本発明によれば支持具の共通化を図れて、各種用途に適応するパイプ棚用ホルダーを製造できるので、コストダウンを図ることができる。
【発明を実施するための最良の形態】
【００１２】
図１〜図４は、コップ等の食器や買物かごなどを掛け止めるために使用するフック状のホルダー部１を備えたパイプ棚用ホルダーを示している。このパイプ棚用ホルダーは、複数本のパイプ２が横架されてなるパイプ棚に着脱可能に取付けて使用されるものであって、支持具３と物掛具５とを組み合わせてなるものである。
【００１３】
前記支持具３は、少なくとも２本のパイプ２上に載置される吊持板部６と、吊持板部６からパイプ２間を通って下方に延出するガイド支持部７とを備え、合成樹脂によって一体成形されている。
【００１４】
前記吊持板部６は前後方向に長い長方形状に形成され、その下面であるパイプ接触面６ａの幅方向中央にはゴム板８が前後方向に延びるようにして固着されている。前記吊持板部６の前後方向中央より前側寄り位置には、パイプ２間を通って下方に延出するガイド支持部７が一体形成されており、このガイド支持部７は、図４に示すように左右側壁７ａ、７ｂおよび底壁７ｃを有し、前記吊持板部６と合わせて、断面略長方形のボックス断面構造となっている。ガイド支持部７の左右側壁７ａ、７ｂの内面側には、相対応する複数段のガイド溝９が形成されている。図示例では１０段のガイド溝９が形成されている。複数段のガイド溝９は上下方向に等ピッチで形成され、例えばそのピッチを１〜２ｍｍの範囲の適値に定めることができる。
【００１５】
前記物掛具５は、先端にホルダー部１を有すると共に、前記複数段のガイド溝９のいずれにも挿脱可能に両側端部が案内支持される被ガイド板部１０を有し、合成樹脂によって一体成形されている。
【００１６】
図示例のホルダー部１は、被ガイド板部１０の先端から垂下する垂下部１ａと、この垂下部１ａの下端より下方に向け屈曲するフック部１ｂとを備え、このフック部１ｂにコップ等の食器や買物かごの把手などを掛け止め支持できるように構成されている。前記被ガイド板部１０は前記吊持板部６と略同形の略長方形状に形成され、前端部が前記ガイド支持部７の外側面間の幅と同幅を有する広幅部１０ａとなり、残余の部分が前記ガイド支持部７の左右のガイド溝９に挿入して案内支持されるに適した幅の狭幅部１０ｂとなるように構成されている。前記広幅部１０ａと狭幅部１０ｂとの間に形成される左右の段差部１０ｃは、物掛具５を支持具３に挿入したときの挿入限度位置を決めるストッパーとしての役割を担っている。前記狭幅部１０ｂの左右側端面には、前記複数段のガイド溝９のいずれにも嵌合して、選択されたガイド溝９によって挿脱可能に案内支持される突条１０ｄが一体形成されている。
【００１７】
次に上記図示例のパイプ棚用ホルダーをパイプ棚に取付ける作業について説明する。先ず支持具３をパイプ棚の複数本のパイプ２上に載置する。このとき支持具３のガイド支持部７はパイプ２間よりパイプ２の下方に突出しており、このガイド支持部７に設けた複数段のガイド溝９の内、前記パイプ２の径との関係で最も適したガイド溝９を選択して、このガイド溝９に物掛具５の被ガイド板部１０の突条１０ｄを嵌合させて、物掛具５を支持具３に挿入する。
【００１８】
前記ガイド溝９の選択に当っては、前記吊持板部６の下面と前記被ガイド板部１０の上面との間隔Ｐ（図４）が、パイプ２の径と略同一となるように選択する。物掛具５を支持具３に挿入すると、複数本のパイプ２は、吊持板部６と被ガイド板部１０との間に挟持されることになり、その際にガイド支持部７の弾性復元力やゴム板８の弾性復元力によってパイプ２の挟持が確実なものとなり、パイプ棚用ホルダーはパイプ棚の所定位置に安定強固に取付けられる。なおゴム板８に代えて、スポンジ板などのクッション材を用いてもよい。
【００１９】
パイプ棚のパイプ２の径が、図２に２’で示すパイプのように小径の場合には、前記間隔Ｐが小となるガイド溝９を選択して、物掛具５を支持具３に挿入すればよく、その場合の被ガイド板部１０の位置を、図２および図４に仮想線で示している。
【００２０】
上述のように、本発明によると、物掛具５を支持具３に組み付ける作業が、簡単な挿入動作で行うことができ、また物掛具５を支持具３から取り外す動作も、物掛具５を支持具３から抜き取る動作で行うことができるので、パイプ棚に対するパイプ棚用ホルダーの取付け取外し動作は容易簡単である。そして図示例のように前記吊持板部６のパイプ接触面にゴム板８などのクッション材を配設することにより、支持具３のパイプ２に対する滑りを防ぐことができ、前記取付け取外し動作を一層容易簡単に行うことができる。
【００２１】
前記物掛具５のホルダー部１は、上記図示例に示すフック形状のものの他、図５に示す複数本のフック１１を備えたもの等、種々の形状とすることができる。この図５に示す物掛具５の被ガイド板部１０および支持具３は、図１〜図４に示すものと同一に形成されている。
【００２２】
また前記物掛具５のホルダー部１は、フック形状のものの外、図６〜図８に例示するように、タオル掛け可能のもの、ふきん掛け可能のもの、食品包装用ラップケース支持可能のもの等、種々の用途に適した形状、構造のものとすることができ、この場合も、前記被ガイド板部１０および前記支持具３を図１〜図４に示すものと同一に形成すると好適である。
【００２３】
図６に示すものは、左右１対のパイプ棚用ホルダーの各物掛具５に、タオル掛けバー１２の両端部を支持するバー保持部１３を設けたホルダー部１を有している。なお、図６に示すものは、タオル掛けバー１２と物掛具５とが別体に形成されているが、左右１対の物掛具５とタオル掛けバー１２とを一体形成し、この一体形成したものを本発明で云う物掛具とし、これと左右１対の支持具３とを組み合わせたものを本発明で云うパイプ棚用ホルダーとしてもよい。
【００２４】
図７に示すものは、物掛具５のホルダー部１が、被ガイド板部１０の先端部に水平方向に回転可能に支持されたふきん掛けバー１４を備えて構成されたものである。
【００２５】
図８に示すものは、物掛具５のホルダー部１が、食品包装用ラップケース１５を支持する左右１対のラップケース受け１６を有するものであって、ラップケース受け１６は被ガイド板部１０の広幅部１０ａの両側縁から一体に垂下形成されている。
【００２６】
支持具３のガイド支持部７は、図４に示すようなボックス断面構造に形成すると、剛性を高める点で有利であるが、図９に示すように左右側壁７ａ、７ｂのみを有し、下端開放のものとすることができる。この図９に示す構造のものは、図４に示すものに比較し、剛性を確保する上で不利であり、左右側壁７ａ、７ｂの肉厚を大にする必要があるが、他方弾性変形し易く、パイプ棚のパイプ２の径の大小変化に追随し易いという利点がある。
【図面の簡単な説明】
【００２７】
【図１】本発明の一実施形態のパイプ棚用ホルダーを示す斜視図。
【図２】前記パイプ棚用ホルダーの側面図。
【図３】前記パイプ棚用ホルダーの分解斜視図。
【図４】前記パイプ棚用ホルダーの横断面図。
【図５】本発明の他の実施形態のパイプ棚用ホルダーを示す斜視図。
【図６】本発明の上記とは異なる実施形態のパイプ棚用ホルダーを示す斜視図。
【図７】本発明のさらに上記とは異なる実施形態のパイプ棚用ホルダーを示す斜視図。
【図８】本発明のさらに別の実施形態のパイプ棚用ホルダーを示す斜視図。
【図９】別の態様のガイド支持部を備えたパイプ棚用ホルダーの横断面図。
【符号の説明】
【００２８】
１  ホルダー部
２  パイプ
３  支持具
５  物掛具
６  吊持板部
７  ガイド支持部
７ａ、７ｂ  左右側壁
８  ゴム板
９  ガイド溝
１０  被ガイド板部
【図１】
2006198244.tif 000003
【図２】
2006198244.tif 000004
【図３】
2006198244.tif 000005
【図４】
2006198244.tif 000006
【図５】
2006198244.tif 000007
【図６】
2006198244.tif 000008
【図７】
2006198244.tif 000009
【図８】
2006198244.tif 000010
【図９】
2006198244.tif 000011